(57)【要約】  【課題】吸水フィルタ20を容易に着脱できる冷風扇を提供する。  【解決手段】上下のローラ21，22に吸水フィルタ20を掛け回す。上部側のローラ21の軸部28には軸受部材54を取り付ける。冷風扇の背面パネル13に上下のローラ21，22を軸受けする上部軸受部46および下部軸受部43を設ける。吸水フィルタ20を掛け回した下部側のローラ22の軸部35を下部軸受部43に引っ掛ける。吸水フィルタ20を掛け回した上部側のローラ21の軸受部材54を、ローラ21の軸方向に対して交差する方向から上部軸受部46に挿入する。軸受部材54が上部軸受部46に係止し、上部側のローラ21を上部軸受部46に軸受けする。上部軸受部46に対する軸受部材54の係止を解除し、軸受部材54を上部軸受部46から外し、下部側のローラ22の軸部35を下部軸受部43から外し、吸水フィルタ20を外す。  【選択図】図１
2006170540.tif 000002
【特許請求の範囲】
【請求項１】
無端状の吸水フィルタと、
この吸水フィルタを掛け回すローラ部およびこのローラ部の両端から突出する軸部を有する上下のローラと、
前記吸水フィルタを掛け回した下部側のローラの軸部を着脱可能に引っ掛けて取り付ける下部軸受部と、
前記吸水フィルタを掛け回した下部側のローラの軸部を下部軸受部に引っ掛けた状態で前記吸水フィルタを掛け回した上部側のローラの軸部をその軸方向に対して交差する方向から挿入して着脱可能に保持する上部軸受部と
を具備していることを特徴とする空気調和機。
【請求項２】
上部側のローラの軸部を支持し、この上部側のローラの軸方向に対して交差する方向から上部軸受部に挿入されて着脱可能に保持される軸受部材を具備している
ことを特徴とする請求項１記載の空気調和機。
【請求項３】
軸受部材は、上部側のローラの軸部に係合する係合部、上部軸受部に挿入して取り付けられる取付部、この取付部が上部軸受部に取り付けられた状態で上部軸受部に係止する係止部、上部軸受部に対する係止部の係止を解除させる操作部を有している
ことを特徴とする請求項２記載の空気調和機。
【請求項４】
上部軸受部は、上部側のローラの軸部をその軸方向に対して交差する方向から挿脱する開口部、この開口部を通じて挿入される上部側のローラの軸部を軸受けする軸受溝部、この軸受溝部内に突出する方向に弾性を有していて軸受溝部内に挿入された上部側のローラの軸部を抜け止め保持するとともにその軸部を弾性に抗して挿脱可能とする弾性保持部を有している
ことを特徴とする請求項１記載の空気調和機。
【発明の詳細な説明】
【技術分野】
【０００１】
本発明は、吸水フィルタを用いた空気調和機に関する。
【背景技術】
【０００２】
従来、空気調和機として、例えば冷風扇では、機体の底部に配設された貯水部内の水をこの貯水部から上下方向に回行される無端状の吸水フィルタで吸水し、この吸水フィルタの前側に軸方向を上下方向として縦形に配置された円筒形のファンの回転で、機体の後面の吸込口から空気を吸い込んで吸水フィルタを通じて機体の前面の吹出口へ向けて送風することにより、吸水フィルタの水が気化し、その際の気化熱により送風する空気の温度を下げ、冷風として吹出口から送風している（例えば、特許文献１参照。）。
【０００３】
吸水フィルタは両端から軸部が突設された上下のローラに掛け回されており、これら上下のローラは両端の軸部を介して機体の背面パネルに回転可能に軸支されている。
【０００４】
背面パネルにはフィルタの両側域に対応して両側の取付板が突設され、これら両側の取付板に円形の取付孔が設けられており、これら両側の取付板の取付孔にローラの軸部を挿入して嵌め込む取付構造になっている。あるいは、軸受部材をローラの軸部に嵌め込み、この軸受部材を背面パネルにねじ止めする取付構造になっている。
【特許文献１】実用新案登録第３０９４２４９号公報（第７−１１頁、図１−２）
【発明の開示】
【発明が解決しようとする課題】
【０００５】
しかしながら、背面パネルの両側の取付板に設けた円形の取付孔にローラの軸部を挿入して嵌め込む取付構造では、ローラを背面パネルの両側の取付板間に対して挿入したり抜き外すのに、両側の取付板間を押し広げながら操作する必要があり、また、軸受部材をローラの軸部に嵌め込み、この軸受部材を背面パネルにねじ止めする取付構造では、ねじ操作を必要とし、吸水フィルタを容易に着脱することができず、吸水フィルタの清掃や交換に手間がかかる問題がある。
【０００６】
本発明は、このような点に鑑みなされたもので、吸水フィルタを容易に着脱できる空気調和機を提供することを目的とする。
【課題を解決するための手段】
【０００７】
請求項１記載の空気調和機は、無端状の吸水フィルタと、この吸水フィルタを掛け回すローラ部およびこのローラ部の両端から突出する軸部を有する上下のローラと、前記吸水フィルタを掛け回した下部側のローラの軸部を着脱可能に引っ掛けて取り付ける下部軸受部と、前記吸水フィルタを掛け回した下部側のローラの軸部を下部軸受部に引っ掛けた状態で前記吸水フィルタを掛け回した上部側のローラの軸部をその軸方向に対して交差する方向から挿入して着脱可能に保持する上部軸受部とを具備しているものである。
【０００８】
そして、吸水フィルタを掛け回した下部側のローラの軸部を下部軸受部に引っ掛け、その状態で吸水フィルタを掛け回した上部側のローラの軸部をその軸方向に対して交差する方向から上部軸受部に挿入することにより、上部側のローラの軸部が上部軸受部に着脱可能に保持される。
【０００９】
請求項２記載の空気調和機は、請求項１記載の空気調和機において、上部側のローラの軸部を支持し、この上部側のローラの軸方向に対して交差する方向から上部軸受部に挿入されて着脱可能に保持される軸受部材を具備しているものである。
【００１０】
そして、軸受部材で上部側のローラの軸部を支持し、この軸受部材を上部側のローラの軸方向に対して交差する方向から上部軸受部に挿入することにより、軸受部材が上部軸受部に着脱可能に保持される。
【００１１】
請求項３記載の空気調和機は、請求項２記載の空気調和機において、軸受部材は、上部側のローラの軸部に係合する係合部、上部軸受部に挿入して取り付けられる取付部、この取付部が上部軸受部に取り付けられた状態で上部軸受部に係止する係止部、上部軸受部に対する係止部の係止を解除させる操作部を有しているものである。
【００１２】
そして、軸受部材の係合部を上部側のローラの軸部に係合し、この軸受部材の取付部を上部軸受部に挿入することにより、軸受部材の係止部が上部軸受部に係止して取り付けられる。また、操作部によって上部軸受部に対する係止部の係止を解除することにより、軸受部材の取付部を上部軸受部から外せる。
【００１３】
請求項４記載の空気調和機は、請求項１記載の空気調和機において、上部軸受部は、上部側のローラの軸部をその軸方向に対して交差する方向から挿脱する開口部、この開口部を通じて挿入される上部側のローラの軸部を軸受けする軸受溝部、この軸受溝部内に突出する方向に弾性を有していて軸受溝部内に挿入された上部側のローラの軸部を抜け止め保持するとともにその軸部を弾性に抗して挿脱可能とする弾性保持部を有しているものである。
【００１４】
そして、上部側のローラの軸部をその軸方向に対して交差する方向から開口部に挿入するとともに弾性保持部の弾性に抗して軸受溝部に挿入することにより、この軸受溝部内に挿入された上部側のローラの軸部が弾性保持部で抜け止め保持される。また、上部側のローラの軸部を弾性保持部の弾性に抗して軸受溝部から開口部に移動させることにより、上部側のローラの軸部が開口部から外れる。
【発明の効果】
【００１５】
請求項１記載の空気調和機によれば、吸水フィルタを掛け回した下部側のローラの軸部を下部軸受部に引っ掛け、その状態で吸水フィルタを掛け回した上部側のローラの軸部をその軸方向に対して交差する方向から上部軸受部に挿入することにより、上部側のローラの軸部を上部軸受部に着脱可能に保持でき、吸水フィルタを容易に着脱できる。
【００１６】
請求項２記載の空気調和機によれば、請求項１記載の空気調和機の効果に加えて、軸受部材で上部側のローラの軸部を支持し、この軸受部材を上部側のローラの軸方向に対して交差する方向から上部軸受部に挿入することにより、上部側のローラを上部軸受部に対して容易に着脱できるとともに確実に保持できる。
【００１７】
請求項３記載の空気調和機によれば、請求項２記載の空気調和機の効果に加えて、軸受部材の係合部を上部側のローラの軸部に係合し、この軸受部材の取付部を上部軸受部に挿入することにより、軸受部材の係止部が上部軸受部に係止して取り付けることができ、また、操作部によって上部軸受部に対する係止部の係止を解除することにより、軸受部材を上部軸受部から外すことができ、上部側のローラを上部軸受部に対して容易に着脱できるとともに確実に保持できる。
【００１８】
請求項４記載の空気調和機によれば、請求項１記載の空気調和機の効果に加えて、上部側のローラの軸部をその軸方向に対して交差する方向から開口部に挿入するとともに弾性保持部の弾性に抗して軸受溝部に挿入することにより、この軸受溝部内に挿入された上部側のローラの軸部を弾性保持部で抜け止め保持でき、また、上部側のローラの軸部を弾性保持部の弾性に抗して軸受溝部から開口部に移動させることにより、上部側のローラの軸部を開口部から外すことができ、上部側のローラを上部軸受部に対して容易に着脱できるとともに確実に保持できる。
【発明を実施するための最良の形態】
【００１９】
以下、本発明の一実施の形態を図面を参照して説明する。
【００２０】
図５に、空気調和機としての冷風扇11を示す。この冷風扇11は、箱形の本体12およびこの本体12の背面に着脱可能に取り付けられる背面パネル13を有し、この本体12の底面には本体12を移動させるための図示しない複数のキャスターが取り付けられている。
【００２１】
本体12の背面パネル13には吸込口14が形成され、本体12の前面には縦長の吹出口15が形成されている。本体12内の中央には本体12外の空気を吸込口14から吸い込んで吹出口15から吹き出す送風手段16が配設されている。この送風手段16は、軸方向を上下方向として水平方向に回転する円筒形のファン17を有し、このファン17を図示しないファン用モータによって回転駆動する。
【００２２】
本体12内の底部には液体としての水を貯留する液体貯留部としての水皿18が配設されている。この水皿18は上面を開口した容器によって形成されている。本体12内には、水皿18に水を補給するカートリッジタンク19が着脱可能に配置されている。
【００２３】
本体12内の後部側で吸込口14とファン17との間には吸水フィルタ20が配置されている。この吸水フィルタ20は、吸水性を有するフィルタ材によって幅広で無端状に形成され、背面パネル13に回転可能に軸支された上下のローラ21，22間によって上下方向に回行可能に掛け回されている。上部側のローラ21は本体12側に配置された吸水フィルタ用モータ23によって回転駆動され、下部側のローラ22は水皿18内に配置されて吸水フィルタ20を水中に導いている。
【００２４】
また、図１および図２に示すように、上部側のローラ21は、吸水フィルタ20を掛け回すローラ部26、およびこのローラ部26の両端から周方向に突設されて吸水フィルタ20の両側縁をガイドするフランジ部27を有し、ローラ部26の両端には軸部28が突設され、一方の軸部28の先端側にフィルタ用モータ23によって回転駆動する図示しない駆動ギヤと噛合するギヤ29が設けられている。
【００２５】
また、図６ないし図８に示すように、下部側のローラ22は、径方向に二分割された同一品である一組のローラ部材32を組み合わせて構成されており、吸水フィルタ20を掛け回すローラ部33、およびこのローラ部33の両端には周方向に突設されて吸水フィルタ20の両側縁をガイドするフランジ部34を有し、ローラ部33の両端から軸部35が突設されている。さらに、各フランジ部34に対して離間した各軸部35の先端側には、フランジ部34と同形状のフランジ部36が周方向に突設されている。
【００２６】
各ローラ部材32のローラ部33は、略半円筒形で、水が流通する複数の流通部37が軸方向に沿って形成されている。このローラ部33の他方のローラ部33と組み合う周方向の両側縁部のうち、一側縁部には中心方向に向けて突出する受部38が形成され、他側縁部には他方のローラ部33の内側に侵入して受部38に引っ掛かる略Ｌ字形の引掛部39が突設されている。そして、一組のローラ部材32の受部38と引掛部39とを互いに嵌め合わせることにより、一組のローラ部材32を一体化できる。そのため、ローラ22を形成するのに、接着剤などが必要なく、部品点数も少なく、簡単に組み立てることができる。
【００２７】
また、図１および図２、図４に示すように、背面パネル13の内面には、吸込口14の両側に位置してガイド板42が突設され、これら両側のガイド板42に上下のローラ21，22が回転可能に軸支されるとともに吸水フィルタ20の両側縁がガイドされる。
【００２８】
両側のガイド板42の下部には、吸水フィルタ20を掛け回した下部側のローラ22の軸部35を着脱可能に引っ掛けて軸受けする下部軸受部43が形成されている。この下部軸受部43は、背面パネル13の内面から離反突出して水皿18内に侵入可能とする突片44を有し、この突片44の先端に下部側のローラ22の軸部35を引っ掛けて回転可能に軸受けする溝部45が形成されている。突片44の両側には下部側のローラ22の一対のフランジ部34，36が係合し、下部側のローラ22の軸方向の位置が位置決めされる。
【００２９】
両側のガイド板42の上部には、吸水フィルタ20を掛け回した下部側のローラ22の軸部35を下部軸受部43に引っ掛けた状態で吸水フィルタ20を掛け回した上部側のローラ21の軸部28をその軸方向に対して交差する方向から挿入して着脱可能に保持する上部軸受部46が設けられている。この上部軸受部46は略コ字形の枠部47を有し、この枠部47には、上下方向と交差する水平方向に開口して上部側のローラ21の軸部28がその軸方向に対して交差する方向から挿脱可能とする開口部48、およびこの開口部48を通じて挿入される上部側のローラ21の軸部28を軸受けする軸受溝部49が形成されている。
【００３０】
枠部47の軸受溝部49を介して対向する上下の枠縁47aの内面には軸受溝部49に沿って取付溝50が形成され、これら取付溝50には開口部48の近傍位置に溝深さが浅くなる被係止部としての係止段部51が設けられている。
【００３１】
また、上部側のローラ21の両端から突出する軸部28をそれぞれ支持し、この上部側のローラ21の軸方向に対して交差する方向から上部軸受部46の軸受溝部49に挿入されて着脱可能に保持される軸受部材54を具備している。
【００３２】
図１ないし図４に示すように、この軸受部材54は、弾性を有する例えば樹脂製で、上部側のローラ21の軸部28の周囲に着脱可能かつ回動可能に係合する断面略Ｃ字形の係合部55を有し、この係合部55の両端部に連続して上部軸受部46の上下の取付溝50に係合する一対の取付部56が形成されているとともに、これら取付部56の先端側に上部軸受部46より外側に突出する一対の操作部57が形成されている。各取付部56の外面には上部軸受部46の上下の取付溝50の係止段部51に係合して抜け止め係止する係止部58が突設されている。そして、一対の操作部57を互いに接近する方向に弾性変形させることにより、各係止部58を係止段部51から外し、軸受部材54を上部軸受部46の軸受溝部49から抜き外すことができる。
【００３３】
また、図１および図４に示すように、上下のローラ21，22に掛け回されて背面パネル13に取り付けられた吸水フィルタ20の上下方向の中間位置が、複数のガイド軸61によってガイドされる。これらガイド軸61は、背面パネル13の両側のガイド板42の縁部に開口して設けられた略Ｌ字形のガイド軸用取付溝62によって着脱可能に取り付けられる。
【００３４】
また、図９に示すように、背面パネル13の吸込口14内には格子部65が形成され、吸込口14の外側には空気清浄フィルタ組立体66が着脱可能に取り付けられる。この空気清浄フィルタ組立体66は、大きな埃を捕獲する外側のエアフィルタ67と小さな埃を捕獲する内側の空気清浄フィルタ68とを組み合わせて構成されている。背面パネル13の吸込口14の両側および下側の縁部には、空気清浄フィルタ組立体66を上方から着脱可能に取り付けるフィルタ取付枠部69が設けられている。
【００３５】
また、図４、図１０および図１１には、背面パネル13の本体12に対する着脱構造を示す。背面パネル13の下部には本体12の下部に上方から差し込んで嵌め込む複数の突起部71が突設され、背面パネル13の上部側の両側面には本体12の上部側に対して着脱可能に係止する着脱部材72が配設されている。
【００３６】
着脱部材72は、背面パネル13の側面にその側面内方へ移動可能に嵌め込まれており、背面パネル13の側面に臨んで配置されたリリースボタン部73、このリリースボタン部73の内面から突設されて本体12に形成された背面パネル止め部74に係合する爪部75を有する断面略Ｌ字形の係止片76、背面パネル13から突設された突出部13aとの当接でリリースボタン部73および係止片76を背面パネル13の側面外方へ向けて付勢する弾性部77を有している。そして、背面パネル13の上部側を本体12に取り付ける場合には、背面パネル13を本体12に向けて移動させることにより、係止片76の爪部75が背面パネル止め部74に当接して弾性部77の弾性に抗して背面パネル13の側面内方へ向けて移動し、係止片76の爪部75が背面パネル止め部74を乗り越えれば、弾性部77の弾性で背面パネル13の側面外方へ向けて移動し、係止片76の爪部75が背面パネル止め部74に係合し、背面パネル13の上部側を本体12に係止できる。また、背面パネル13の上部側を本体12から外す場合には、リリースボタン部73を背面パネル13の側面内方へ押し込むことにより、係止片76の爪部75が背面パネル止め部74から外れ、この状態で背面パネル13を本体12から後方へ離反移動させることにより、背面パネル13の上部側を本体12から外すことができる。
【００３７】
本体12には、背面パネル13が取り付けられた状態で着脱部材72に押されてスイッチがオンするマイクロスイッチ78が配設されている。このマイクロスイッチ78は、背面パネル13が外されてマイクロスイッチ78がオフすることにより、冷風扇11の電源をオフするように構成されている。
【００３８】
また、図１、図１２ないし図１４に示すように、本体12の吹出口15には、風向を調整する風向調整手段81が配設されている。この風向調整手段81は、左右方向の風向を調整する縦ルーバユニット82、この縦ルーバユニット82の奥側に配置されていて上下方向の風向を調整する横ルーバユニット83を有している。
【００３９】
縦ルーバユニット82は、吹出口15内に左右方向に並んで配置される複数の縦ルーバ84を有している。これら縦ルーバ84は、吹出口15の上下面に対して左右方向に首振り可能に軸支され、首振り手段85によって自動首振り動作する。首振り手段85は、複数の縦ルーバ84に連結された連動部材86、この連動部材86を移動させて複数の縦ルーバ84を一体に左右方向に首振り動作させる縦ルーバ用モータ87を有している。
【００４０】
横ルーバユニット83は、吹出口15内に上下方向に並んで配置された複数の横ルーバ88を有している。これら横ルーバ88は、吹出口15の左右両側に設けられた枠部89，90に対して上下方向に首振り可能に軸支されている。各横ルーバ88は両端に軸部91，92が設けられ、各枠部89，90には各横ルーバ88の取付位置に対応して後方から軸部91，92が回動可能に嵌め込まれる軸受溝93，94が形成されている。
【００４１】
横ルーバ88の一端である右端の軸部92には、枠部90の内側（吹出口15側）に係合する径大部95と枠部90の外側に係合するレバー部96とが設けられている。これら径大部95とレバー部96とで軸部92が係合された枠部90を挟み込み、横ルーバ88の軸方向の位置を位置決めする。
【００４２】
複数の横ルーバ88の右端の軸部92側には、これら横ルーバ88を一体に上下方向に首振り動作させるとともに枠部90から各横ルーバ88が外れるのを防止する連動部材97が配置されている。この連動部材97は、複数の横ルーバ88にわたって上下方向に長い長方形板状で、枠部90およびレバー部96の外側に配置される連動部98を有している。この連動部98と各レバー部96の先端側とが連結軸99によって連結されている。連動部98の後縁には、先端側が枠部90の後側を通じて枠部90の内側に臨む断面略Ｌ字形の係止片100が設けられている。この係止片100の先端には、枠部90の内側に突設された爪部101に上下方向に摺動可能に係合する爪部102が形成されている。
【００４３】
最下位の横ルーバ88には、先端が吹出口15の前方に突出して横ルーバ88の向きを手動操作可能とする操作レバー103が設けられている。
【００４４】
そして、操作レバー103の操作により、最下位の横ルーバ88が首振りするのと一体に、連動部材97が上下動するとともに各レバー部96を介して全ての横ルーバ88が一体に上下方向に首振り動作する。しかも、連動部材97によって枠部90から各横ルーバ88の軸部92が外れるのを防止できる。この連動部材97は、ねじなどが必要なく、ワンタッチで簡単に装着することができる。
【００４５】
また、図１５には、冷風扇11を制御する制御ユニット106を示す。この制御ユニット106は、マイクロコンピュータで構成される制御部107、例えばタイマ動作時間などを記憶する不揮発性ＲＯＭなどで構成される記憶部108、例えば電源のオンやタイマ動作中などを表示する発光ダイオードなどの出力部109、例えば電源のオンオフスイッチ、タイマスイッチやおやすみタイマリセットスイッチなどの入力部110を備えている。
【００４６】
次に、本実施の形態の作用を説明する。
【００４７】
冷風扇11を使用するには、予め、水を入れたカートリッジタンク19を本体12に装着し、水皿18に水を補給する。
【００４８】
冷風扇11の運転時には、フィルタ用モータ23の駆動により水皿18内の水を給水した吸水フィルタが上下のローラ21，22間で回行し、ファン用モータの駆動によりファン17が回転し、背面パネルの吸込口14から空気清浄フィルタ組立体66を通じて吸い込んだ空気を、吸水フィルタ20を通じて本体12の前面の吹出口15から吹き出す。これにより、吸水フィルタ20の水が気化し、その際の気化熱により送風する空気の温度を下げ、冷風として送風する。
【００４９】
次に、吸水フィルタ20の清掃や交換などのメンテナンスについて説明する。
【００５０】
まず、吸水フィルタ20を取り外す場合には、背面パネル13の両側面に位置する着脱部材72のリリースボタン部73を押して本体12に対する係止を解除しながら背面パネル13を後方へ離反移動させた後、背面パネル13を上方に移動させて背面パネル13の下部の突起部71を本体12の下部から抜き外し、背面パネル13を本体12から取り外す。
【００５１】
背面パネル13の両側のガイド板42から吸水フィルタ20を押さえている各ガイド軸61を外す。
【００５２】
上部側のローラ21の両端の軸部28に取り付けられている各軸受部材54を背面パネル13の各上部軸受部46から外す。すなわち、軸受部材54の一対の操作部57を互いに接近する方向に弾性変形させることにより、各係止部58を係止段部51から外し、軸受部材54を上部軸受部46の軸受溝部49から抜き外す。
【００５３】
上部側のローラ21を背面パネル13から外すことで吸水フィルタ20がたるみ、下部側のローラ22の軸部35を背面パネル13の下部軸受部43の溝部45から外せる。
【００５４】
吸水フィルタ20の内側から上下のローラ21，22を外して、吸水フィルタ20やローラ21，22などを清掃したり、吸水フィルタ20を交換する。
【００５５】
一方、吸水フィルタ20を装着する場合には、吸水フィルタ20の内側に上下のローラ21，22を通し、下部側のローラ22の軸部35を背面パネル13の下部軸受部43の溝部45に係合する。
【００５６】
下部側のローラ22の軸部35を背面パネル13の下部軸受部43の溝部45に係合した状態で、吸水フィルタ20を上方に引っ張り上げながら、上部側のローラ21の両端の軸部28に取り付けられている各軸受部材54を背面パネル13の各上部軸受部46に差し込んで取り付ける。すなわち、軸受部材54の一対の取付部56を上部軸受部46の上下の取付溝50に嵌め込んで差し込むことにより、取付部56の係止部58が取付溝50の係止段部51に係合し、軸受部材54を上部軸受部46に抜け止め係止する。
【００５７】
背面パネル13の両側のガイド板42に、吸水フィルタ20を押さえる各ガイド軸61を取り付ける。
【００５８】
背面パネル13を持ち上げて、背面パネル13の下部の突起部71を本体12の下部に差し込み係合し、背面パネル13の上部を本体12の背面へ向けて押し込む。これにより、背面パネル13の両側面に位置する着脱部材72の係止片76が本体12側の背面パネル止め部74に係合し、背面パネル13を本体12に係止する。
【００５９】
このように、吸水フィルタ20を掛け回した下部側のローラ22の軸部35を下部軸受部43に引っ掛け、その状態で吸水フィルタ20を掛け回した上部側のローラ21の軸部28をその軸方向に対して交差する方向から上部軸受部46に挿入することにより、上部側のローラ21の軸部28を上部軸受部46に着脱可能に保持でき、吸水フィルタ20を容易に着脱できる。
【００６０】
しかも、軸受部材54で上部側のローラ21の軸部28を支持し、この軸受部材54を上部側のローラ21の軸方向に対して交差する方向から上部軸受部46に挿入することにより、上部側のローラ21を上部軸受部46に対して容易に着脱できるとともに確実に保持できる。
【００６１】
さらに、軸受部材54の係合部55を上部側のローラ21の軸部28に係合し、この軸受部材54の取付部56を上部軸受部46に挿入することにより、軸受部材54の係止部58が上部軸受部46に係止して取り付けることができ、また、操作部57によって上部軸受部46に対する係止部58の係止を解除することにより、軸受部材54を上部軸受部46から外すことができ、上部側のローラ21を上部軸受部46に対して容易に着脱できるとともに確実に保持できる。
【００６２】
また、この冷風扇11では、制御ユニット106が有する機能として、利用者が就寝時にタイマ動作を設定することにより、タイマ時間の経過後に自動的に運転をオフするタイマ機能がある。このタイマ機能には、利用者によるタイマ機能の使用状況に応じて適切なタイマ動作時間を自動設定する自動タイマ機能と、例えば１時間や２時間といった予め決められた固定のタイマ動作時間とする固定タイマ機能とを有している。
【００６３】
ここで、制御ユニット106による自動タイマ機能について、図１６のフローチャートを参照して説明する。
【００６４】
入力部110のタイマスイッチで、おやすみタイマをオンすることにより（ステップ１）、記憶部108に記憶されているおやすみタイマの時間でタイマ運転を開始する。なお、おやすみタイマの時間は、使用開始の初回時、またはリセットスイッチによるリセット後の初回時には、予め設定された固定値とする。
【００６５】
そして、おやすみタイマの時間が経過することによって自動的にオフするか、または利用者が寒くなったときなどに手動でオフする（ステップ２）。
【００６６】
今回のタイマ動作を含め、所定回数として例えば一週間分の７回、タイマ動作をしたか判断する（ステップ３）。
【００６７】
タイマ動作が７回動作していない場合には、今回のタイマ動作時間（実際にタイマ動作した時間）と今回までのタイマ動作時間の平均値をおやすみタイマの時間として記憶部108に記憶する。さらに、今回までのタイマ動作時間および回数も記憶部108に記憶する（ステップ４）。
【００６８】
タイマ動作が７回動作している場合には、記憶部108に記憶されている６回分のタイマ動作時間を読み出す（ステップ５）。
【００６９】
読み出した６回分のタイマ動作時間と今回のタイマ動作時間とから平均値を算出し、おやすみタイマの時間として設定する（ステップ６）。
【００７０】
今回を含め、６回分のタイマ動作時間およびおやすみタイマの時間を記憶部108に記憶する（ステップ７）。
【００７１】
したがって、利用者がタイマの設定時間で迷うことがなく、おやすみタイマを設定するだけで済み、過去の実際にタイマ動作したタイマ動作時間に基づいておやすみタイマの時間を適切に自動設定できる。
【００７２】
次に、図１７に第２の実施の形態を示す。
【００７３】
上部軸受部46は略コ字形の枠部47を有し、この枠部47には、上下方向と交差する水平方向に開口して上部側のローラ21の軸部28がその軸方向に対して交差する方向から挿脱可能とする開口部48、およびこの開口部48を通じて挿入される上部側のローラ21の軸部28を軸受けする軸受溝部49が形成されている。
【００７４】
この枠部47の軸受溝部49を介して対向する上下の枠縁47aの内面には、軸受溝部49内に突出する方向に弾性を有していて軸受溝部49内に挿入された上部側のローラ21の軸部28を抜け止め保持するとともにその軸部28を弾性に抗して強制的に挿脱可能とする弾性保持部としての板ばね121が配設されている。
【００７５】
この場合、上部側のローラ21の軸部28をその軸方向に対して交差する方向から開口部48に挿入するとともに板ばね121の弾性に抗して軸受溝部49に挿入することにより、この軸受溝部49内に挿入された上部側のローラ21の軸部28を板ばね121で抜け止め保持でき、また、上部側のローラ21の軸部28を板ばね121の弾性に抗して軸受溝部49から開口部48に移動させることにより、上部側のローラ21の軸部28を開口部48から外すことができ、上部側のローラ21を上部軸受部46に対して容易に着脱できるとともに確実に保持できる。
【００７６】
なお、空気調和機としては、冷風扇11に限らず、例えば加湿器などの気化式の吸水フィルタを用いる機器にも適用できる。
【図面の簡単な説明】
【００７７】
【図１】本発明の空気調和機の第１の実施の形態を示し、(a)は冷風扇の吸水フィルタを取り外した状態の側面図、(b)は冷風扇の吸水フィルタを取り付けた状態の側面図である。
【図２】同上冷風扇の上部側のローラを軸受部材によって上部軸受部に取り付けた状態の斜視図である。
【図３】同上軸受部材の側面図である。
【図４】同上冷風扇の背面パネルの斜視図である。
【図５】同上冷風扇の斜視図である。
【図６】同上冷風扇の下部側のローラの斜視図である。
【図７】同上下部側のローラの分解状態の斜視図である。
【図８】同上下部側のローラの断面図である。
【図９】同上背面パネルおよび空気清浄フィルタ組立体の分解状態の斜視図である。
【図１０】同上背面パネルの本体への取付構造を示す斜視図である。
【図１１】同上背面パネルの本体への取付構造を示す斜視図である。
【図１２】同上冷風扇の風向調整手段の平面図である。
【図１３】同上冷風扇の横ルーバの分解状態の平面図である。
【図１４】同上冷風扇の横ルーバおよび連動部材の平面図である。
【図１５】同上冷風扇の制御ユニットのブロック図である。
【図１６】同上冷風扇のタイマ機能のフローチャートである。
【図１７】本発明の空気調和機の第２の実施の形態を示し、(a)は冷風扇の吸水フィルタを取り外した状態の側面図、(b)は冷風扇の吸水フィルタを取り付けた状態の側面図である。
【符号の説明】
【００７８】
11    空気調和機としての冷風扇
20    吸水フィルタ
21，22    ローラ
26，33    ローラ部
28，35    軸部
43    下部軸受部
46    上部軸受部
48    開口部
49    軸受溝部
54    軸受部材
55    係合部
56    取付部
57    操作部
58    係止部
121   弾性保持部としての板ばね
【図１】
2006170540.tif 000003
【図２】
2006170540.tif 000004
【図３】
2006170540.tif 000005
【図４】
2006170540.tif 000006
【図５】
2006170540.tif 000007
【図６】
2006170540.tif 000008
【図７】
2006170540.tif 000009
【図８】
2006170540.tif 000010
【図９】
2006170540.tif 000011
【図１０】
2006170540.tif 000012
【図１１】
2006170540.tif 000013
【図１２】
2006170540.tif 000014
【図１３】
2006170540.tif 000015
【図１４】
2006170540.tif 000016
【図１５】
2006170540.tif 000017
【図１６】
2006170540.tif 000018
【図１７】
2006170540.tif 000019